【事件の表示】
　特願２０１３−５４３６３３「複数の熱を発生する部品が備えられた筐体を有する電子装置」拒絶査定不服審判事件〔平成２４年　６月２１日国際公開、ＷＯ２０１２／０８００１１、平成２６年　２月　３日国内公表、特表２０１４−５０２７８５〕について、次のとおり審決する。
【結　論】
　本件審判の請求は、成り立たない。
【理　由】
１．手続の経緯
　本願は、２０１１年１２月５日（パリ条約による優先権主張　外国庁受理　２０１０年１２月１３日　ドイツ（ＤＥ））を国際出願日とする出願であって、手続の概要は以下のとおりである。
　拒絶理由通知　　　　　　　：平成２７年　１月３０日（起案日）
　意見書　　　　　　　　　　：平成２７年　４月２８日
　手続補正　　　　　　　　　：平成２７年　４月２８日
　拒絶査定　　　　　　　　　：平成２７年　９月１５日（起案日）
　拒絶査定不服審判請求　　　：平成２８年　１月２７日
　手続補正　　　　　　　　　：平成２８年　１月２７日
　拒絶理由通知（当審）　　　：平成２８年　９月３０日（起案日）
　意見書　　　　　　　　　　：平成２８年１２月２８日
　手続補正　　　　　　　　　：平成２８年１２月２８日
２．本願発明
　本願の請求項１ないし４に係る発明は、平成２８年１２月２８日付け手続補正により補正された特許請求の範囲の請求項１ないし４に記載された事項により特定されるとおりのものと認められるところ、請求項１に係る発明（以下「本願発明」という。）は、次のとおりのものである。
「　【請求項１】
　筐体を有する、特にコンピュータシステムである電子ユニットであって：
　熱を発生する第１部品；
　熱を発生する第２部品；及び
　冷却システム；
　を前記筐体内に備えた電子ユニットであり、
　前記冷却システムは、冷却空気流を生成する少なくとも１つのファンを有し、
　当該電子ユニットの動作中、前記第１部品及び前記第２部品は前記冷却システムにより冷却され、前記第１部品は、前記第１部品のより低い温度及び前記第２部品のより高い温度が収束するように、前記冷却システムの前記冷却空気流の方向において前記第１部品と前記第２部品との間の熱伝導接続部を介して前記第２部品に接続されており、
　前記第１部品及び前記第２部品はそれぞれ、発生した熱を放熱するヒートシンクを有し、
　前記熱伝導接続部は、前記冷却システムの前記冷却空気流の方向において前記第１部品と前記第２部品との間に配置されたヒートシンクを有し、
　前記第１部品は、前記第１部品からの流出空気流の少なくとも一部が前記第２部品に入射するように、前記第２部品の前に、前記冷却空気流の方向に備えられ、
　前記第１部品及び前記第２部品は、前記冷却空気流の方向において前記第２部品が部分的に前記第１部品の陰に位置するように、互いにオフセットして配置され、
　前記熱伝導接続部は、前記冷却空気流の方向において前記第２部品が部分的に前記第１部品の陰に位置する領域内でのみ、前記第１部品と前記第２部品との間に配置され、
　前記冷却システムは、冷却されるべき最大動作温度のための冷却電力を、より暖かい部品の低減された動作温度まで低減するよう構成される、
　電子ユニット。」
３．引用例
　当審の拒絶理由通知に引用した、本願の優先権主張の日前に頒布された刊行物である特開平１０−２５６７６６号公報（平成１０年９月２５日公開、以下「引用例」という。）には、図面と共に、以下の記載がある。（なお、下線は当審で付与した。）
（１）「【０００１】
【発明の属する技術分野】本発明は
電子機器の強制空冷構造
（２）「【０００２】
【従来の技術】近年、
コンピュータをはじめとする電子機器
筐体
（３）「【０００８】本発明の目的は、
電子素子をはじめとする大小様々な発熱部材が混在して実装された電子機器の冷却構造について、発熱部材に設置された各々のヒートシンクの一部をそれぞれ熱的に接続し、下流側の熱を上流側に熱輸送して、流れ方向に設置された発熱部材の温度を所定内の温度に保つ一方、冷却構造の付加による圧力損失上昇の少ない強制空冷構造
（４）「【０００９】
【課題を解決するための手段】上記目的を達成するために、本発明では、
冷却空気の流れ方向に配置された電子素子に設置されたヒートシンクのフィン部を互いに熱伝導率の高い部材（例えばアルミ，銅あるいは、等価熱伝導率の高いヒートパイプや振動制御形熱輸送管）で熱的に接続した。
【００１０】また、
それらの熱輸送部材に、微細な二次フィンを設けた。
（５）「【００１６】
【発明の実施の形態】図１に本発明の強制空冷構造の第一の実施例の斜視図を示す。電子機器などに用いられる配線基板１０上に電子素子３が冷却空気の流れ方向１，２に並んで実装され、それらの素子表面には、強制空冷用ヒートシンク３０が設置されている。その
ヒートシンク
の金属製平行平面板間には、熱輸送部材(例えば銅等の高熱伝導材やヒートパイプ)５０が
挿入され
ている。
（６）「【００１７】本実施例は、
ファンあるいはブロアなどで送風する強制空冷構造
（７）「【００１８】次に熱の流れは、
まず配線基板１０に沿って流れる低温の冷却空気１が、上流側ヒートシンクのフィン間に入り、熱交換された暖かい空気がフィン間を出る。そして、その暖かい低流速の空気は、下流側のヒートシンクのフィン間に流入する。
ヒートパイプあるいは銅やアルミなどの高熱伝導金属により構成される熱輸送部材５０は、下流側ヒートシンクより上流側ヒートシンクへと熱を吸い上げ、大きなヒートシンク間の温度差を解消する熱輸送経路を構成する。
　上記摘示事項及び図面の記載から以下のことがいえる。
（ａ）引用例には、「電子機器の強制空冷構造」が記載されている（摘示事項（１））。
（ｂ）筐体を有する「電子機器」として「コンピュータ」が例示されている（摘示事項（２））。
（ｃ）「電子機器の強制空冷構造」は、冷却空気の流れ方向に配置された電子素子に設置されたヒートシンクのフィン部を互いに熱伝導率の高い部材（例えばアルミ，銅あるいは、等価熱伝導率の高いヒートパイプや振動制御形熱輸送管）で熱的に接続し、それらの熱輸送部材に、微細な二次フィンを設けたものである（摘示事項（４））。
（ｄ）ヒートシンクの金属製平行平面板間には、熱輸送部材(例えば銅等の高熱伝導材やヒートパイプ)５０が挿入されている（摘示事項（５））。
（ｅ）「電子機器の強制空冷構造」は、ファンあるいはブロアなどで送風するものである（摘示事項（６））。
（ｆ）まず配線基板１０に沿って流れる低温の冷却空気１が、上流側ヒートシンクのフィン間に入り、熱交換された暖かい空気がフィン間を出る。そして、その暖かい低流速の空気は、下流側のヒートシンクのフィン間に流入する。ヒートパイプあるいは銅やアルミなどの高熱伝導金属により構成される熱輸送部材５０は、下流側ヒートシンクより上流側ヒートシンクへと熱を吸い上げ、大きなヒートシンク間の温度差を解消する熱輸送経路を構成する（摘示事項（７））。
　以上を総合勘案すると、引用例には、次の発明（以下「引用発明」という。）が記載されているものと認める。
「筐体を有する、コンピュータである電子機器の強制空冷構造であって、
　冷却空気の流れ方向に配置された電子素子に設置されたヒートシンクのフィン部を互いに熱伝導率の高い部材（例えばアルミ，銅あるいは、等価熱伝導率の高いヒートパイプや振動制御形熱輸送管）で熱的に接続し、それらの熱輸送部材に、微細な二次フィンを設けたものであり、
　ヒートシンクの金属製平行平面板間には、熱輸送部材(例えば銅等の高熱伝導材やヒートパイプ)５０が挿入されており、
　ファンあるいはブロアなどで送風するものであり、
　まず配線基板１０に沿って流れる低温の冷却空気１が、上流側ヒートシンクのフィン間に入り、熱交換された暖かい空気がフィン間を出て、その暖かい低流速の空気は、下流側のヒートシンクのフィン間に流入するものであり、
　ヒートパイプあるいは銅やアルミなどの高熱伝導金属により構成される熱輸送部材５０は、下流側ヒートシンクより上流側ヒートシンクへと熱を吸い上げ、大きなヒートシンク間の温度差を解消する熱輸送経路を構成する、
　電子機器の強制空冷構造。」
４．対比
　そこで、本願発明と引用発明とを対比する。
（１）電子ユニット
　引用発明は、「筐体を有する、コンピュータである電子機器の強制空冷構造」であるから、本願発明と引用発明とは、「筐体を有する、特にコンピュータシステムである電子ユニット」である点で一致する。
（２）第１部品、第２部品及び冷却システム
　引用発明の「冷却空気の流れ方向に配置された電子素子」の上流側の電子素子及び下流側の電子素子は、発熱部材であるから、それぞれ、「熱を発生する第１部品」及び「熱を発生する第２部品」ともいえる。また、引用発明の「ファンあるいはブロアなど」は、「冷却システム」ともいえる。そして、引用発明の「冷却空気の流れ方向に配置された電子素子」及び「ファンあるいはブロアなど」が電子機器の筐体内に備えられることは明らかである。
　したがって、本願発明と引用発明とは、「熱を発生する第１部品；熱を発生する第２部品；及び冷却システム；を前記筐体内に備えた電子ユニット」である点で一致する。
（３）ファン
　引用発明は、「ファンあるいはブロアなどで送風する」「強制空冷構造」であるから、本願発明と引用発明とは、「前記冷却システムは、冷却空気流を生成する少なくとも１つのファンを有」する点で一致する。
（４）第１部品及び第２部品の冷却及び接続
　引用発明は、「ファンあるいはブロアなどで送風する」「強制空冷構造」であるから、本願発明と引用発明とは、「当該電子ユニットの動作中、前記第１部品及び前記第２部品は前記冷却システムにより冷却され」る点で一致する。
　また、引用発明は、「冷却空気の流れ方向に配置された電子素子に設置されたヒートシンクのフィン部を互いに熱伝導率の高い部材（例えばアルミ，銅あるいは、等価熱伝導率の高いヒートパイプや振動制御形熱輸送管）で熱的に接続し」たものであり、引用発明において、「ヒートパイプあるいは銅やアルミなどの高熱伝導金属により構成される熱輸送部材５０は、下流側ヒートシンクより上流側ヒートシンクへと熱を吸い上げ、大きなヒートシンク間の温度差を解消する熱輸送経路を構成する」から、本願発明と引用発明とは、「前記第１部品は、前記第１部品のより低い温度及び前記第２部品のより高い温度が収束するように、前記冷却システムの前記冷却空気流の方向において前記第１部品と前記第２部品との間の熱伝導接続部を介して前記第２部品に接続されて」いる点で一致する。
（５）第１部品及び第２部品が有するヒートシンク
　引用発明の「冷却空気の流れ方向に配置された電子素子」にはヒートシンクが設置されているから、本願発明と引用発明とは、「前記第１部品及び前記第２部品はそれぞれ、発生した熱を放熱するヒートシンクを有」する点で一致する。
（６）熱伝導接続部が有するヒートシンク
　引用発明は、「冷却空気の流れ方向に配置された電子素子に設置されたヒートシンクのフィン部を互いに熱伝導率の高い部材（例えばアルミ，銅あるいは、等価熱伝導率の高いヒートパイプや振動制御形熱輸送管）で熱的に接続し、それらの熱輸送部材に、微細な二次フィンを設けたもの」であるから、本願発明と引用発明とは、「前記熱伝導接続部は、前記冷却システムの前記冷却空気流の方向において前記第１部品と前記第２部品との間に配置されたヒートシンクを有」する点で一致する。
（７）第１部品からの流出空気流の第２部品への入射
　引用発明は、「まず配線基板１０に沿って流れる低温の冷却空気１が、上流側ヒートシンクのフィン間に入り、熱交換された暖かい空気がフィン間を出て、その暖かい低流速の空気は、下流側のヒートシンクのフィン間に流入するもの」であるから、本願発明と引用発明とは、「前記第１部品は、前記第１部品からの流出空気流の少なくとも一部が前記第２部品に入射するように、前記第２部品の前に、前記冷却空気流の方向に備えられ」る点で一致する。
（８）第１部品及び第２部品のオフセットした配置
　「第１部品及び第２部品の配置」について、本願発明は、「前記第１部品及び前記第２部品は、前記冷却空気流の方向において前記第２部品が部分的に前記第１部品の陰に位置するように、互いにオフセットして配置され」るのに対し、引用発明は、そのような特定がない点で相違する。
（９）熱伝導接続部の配置
　「熱伝導接続部の配置」について、本願発明は、「前記熱伝導接続部は、前記冷却空気流の方向において前記第２部品が部分的に前記第１部品の陰に位置する領域内でのみ、前記第１部品と前記第２部品との間に配置され」るのに対し、引用発明は、そのような特定がない点で相違する。
（１０）冷却電力
　「冷却電力」について、本願発明は、「前記冷却システムは、冷却されるべき最大動作温度のための冷却電力を、より暖かい部品の低減された動作温度まで低減するよう構成される」のに対し、引用発明は、そのような特定がない点で相違する。
　そうすると、本願発明と引用発明とは、次の点で一致する。
＜一致点＞
「筐体を有する、特にコンピュータシステムである電子ユニットであって：
　熱を発生する第１部品；
　熱を発生する第２部品；及び
　冷却システム；
　を前記筐体内に備えた電子ユニットであり、
　前記冷却システムは、冷却空気流を生成する少なくとも１つのファンを有し、
　当該電子ユニットの動作中、前記第１部品及び前記第２部品は前記冷却システムにより冷却され、前記第１部品は、前記第１部品のより低い温度及び前記第２部品のより高い温度が収束するように、前記冷却システムの前記冷却空気流の方向において前記第１部品と前記第２部品との間の熱伝導接続部を介して前記第２部品に接続されており、
　前記第１部品及び前記第２部品はそれぞれ、発生した熱を放熱するヒートシンクを有し、
　前記熱伝導接続部は、前記冷却システムの前記冷却空気流の方向において前記第１部品と前記第２部品との間に配置されたヒートシンクを有し、
　前記第１部品は、前記第１部品からの流出空気流の少なくとも一部が前記第２部品に入射するように、前記第２部品の前に、前記冷却空気流の方向に備えられる、
　電子ユニット。」の点。
　そして、次の点で相違する。
＜相違点＞
（１）「第１部品及び第２部品の配置」について、本願発明は、「前記第１部品及び前記第２部品は、前記冷却空気流の方向において前記第２部品が部分的に前記第１部品の陰に位置するように、互いにオフセットして配置され」るのに対し、引用発明は、そのような特定がない点。
（２）「熱伝導接続部の配置」について、本願発明は、「前記熱伝導接続部は、前記冷却空気流の方向において前記第２部品が部分的に前記第１部品の陰に位置する領域内でのみ、前記第１部品と前記第２部品との間に配置され」るのに対し、引用発明は、そのような特定がない点。
（３）「冷却電力」について、本願発明は、「前記冷却システムは、冷却されるべき最大動作温度のための冷却電力を、より暖かい部品の低減された動作温度まで低減するよう構成される」のに対し、引用発明は、そのような特定がない点。
５．判断
　そこで、上記相違点について検討する。
相違点（１）について
　引用例の図１１に示されるような、冷却空気の流れ方向に対してオフセットした上流側の電子素子と下流側の電子素子との配置は、電子機器の回路を構成する部品の形状や寸法に応じて採用することが必要になることがあるものであるから、引用発明において、冷却空気の流れ方向に対してオフセットした上流側の電子素子と下流側の電子素子との配置を採用することは、当業者が適宜なし得る。
相違点（２）について
　冷却空気の流れ方向に対してオフセットした上流側の電子素子と下流側の電子素子との配置を採用する際に、通常、ヒートシンクのフィン部は冷却空気の流れ方向に設置されるから、引用発明の「ヒートシンクの金属製平行平面板間には、熱輸送部材(例えば銅等の高熱伝導材やヒートパイプ)５０が挿入されて」いる構成の場合、冷却空気の流れ方向において、下流側の電子素子が上流側の電子素子の陰に位置する領域に熱輸送部材を配置することは、ごく自然な選択であって、当業者が容易に想到し得る。
相違点（３）について
　引用発明の目的は、「下流側の熱を上流側に熱輸送して、流れ方向に設置された発熱部材の温度を所定内の温度に保つ強制空冷構造」を提供することである（摘示事項（３））から、引用発明において、冷却されるべき最大動作温度のための冷却電力を、下流側の発熱部材の低減された動作温度である「所定内の温度」に対応させて設計することは、当業者が容易に想到し得る。
　また、明細書に記載された本願発明が奏する効果についてみても、本願発明の構成のものとして当業者であれば予測し得る程度のものに過ぎず、格別顕著なものがあるとは認められない。
　なお、請求人は、意見書及び審判請求書において、引用例の図１１は、熱輸送手段６３が電子素子の外側を通る構成を有する旨主張している。
　しかしながら、同図の構成は、基板の積層間隔が狭い場合に、側面から熱輸送部材６３を挿入するものであって（【００２２】）、電子素子をオフセットして配置した場合に必ず採用しなければならない構成ではないから、上述した判断を左右するものではない。
６．むすび
　以上のとおり、本願の請求項１に係る発明は、引用例に記載された発明に基づいて当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。